【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の検査方法であって、
チャートを前記結像光学系によって前記複数の受光素子列上に結像して得られる出力信号の振幅からコントラストを算出する第１の算出工程と、
前記出力信号の前記第１及び第２の方向における位相ズレ量を算出する第２の算出工程と、
前記出力信号の周波数ズレ量を算出する第３の算出工程と、
前記位相ズレ量及び前記周波数ズレ量に基づいて前記第１及び第２の方向における色ズレ量を算出する第４の算出工程と、を有し、
前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする画像読取装置の検査方法。
【請求項２】
前記傾き角θは
５°≦θ≦１０°
なる条件式を満足することを特徴とする請求項１に記載の画像読取装置の検査方法。
【請求項３】
前記第４の算出工程において、複数の色光に関する前記出力信号のエッジ部を決定した後、任意の色のエッジ部を基準とし、該基準のエッジ部に対する他のエッジ部のズレ量を前記色ズレ量として算出することを特徴とする請求項１又は２に記載の画像読取装置の検査方法。
【請求項４】
前記第３の算出工程において、任意の色光に関する前記出力信号から得られる、前記第１の方向における部分倍率と基準倍率とのズレ量を前記周波数ズレ量として算出することを特徴とする請求項１又は２に記載の画像読取装置の検査方法。
【請求項５】
前記第４の算出工程において、前記位相ズレ量をα、前記周波数ズレ量をν、隣接する前記受光素子列同士の間隔をＳ、前記第１の方向における色ズレ量をｍ、前記第２の方向における色ズレ量をｎ、とするとき、
α＝γ×（Ｓ＋ｎ）ｔａｎθ＋ｍ
なる式に基づいて前記色ズレ量を算出することを特徴とする請求項１乃至４のいずれか１項に記載の画像読取装置の検査方法。
【請求項６】
前記第１のパターンにおける縞と前記第２のパターンにおける縞とのなす角度は９０度であることを特徴とする請求項１乃至５のいずれか１項に記載の画像読取装置の検査方法。 
【請求項７】
前記第１及び第２のパターンは、前記複数の受光素子列に対し前記原稿面と光学的に等価な位置において隣接して配置されていることを特徴とする請求項１乃至６のいずれか１項に記載の画像読取装置の検査方法。
【請求項８】
原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の検査装置であって、
チャートを前記結像光学系によって前記複数の受光素子列上に結像して得られる出力信号の振幅からコントラストを算出する第１の算出手段と、
前記出力信号の前記第１及び第２の方向における位相ズレ量を算出する第２の算出手段と、
前記出力信号の周波数ズレ量を算出する第３の算出手段と、
前記位相ズレ量及び前記周波数ズレ量に基づいて前記第１及び第２の方向における色ズレ量を算出する第４の算出手段と、を有し、
前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする画像読取装置の検査装置。
【請求項９】
原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の製造方法であって、
チャートを前記結像光学系によって前記複数の受光素子列上に結像して得られる出力信号の振幅からコントラストを算出する第１の算出工程と、
前記出力信号の前記第１及び第２の方向における位相ズレ量を算出する第２の算出工程と、
前記出力信号の周波数ズレ量を算出する第３の算出工程と、
前記位相ズレ量及び前記周波数ズレ量に基づいて前記第１及び第２の方向における色ズレ量を算出する第４の算出工程と、
前記コントラストと前記位相ズレ量と前記周波数ズレ量と前記色ズレ量とに基づいて、前記結像光学系及び前記複数の受光素子列の位置を調整する工程と、を有し、
前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする画像読取装置の製造方法。
【手続補正２】
【補正対象書類名】明細書
【補正対象項目名】発明の名称
【補正方法】変更
【補正の内容】
【発明の名称】画像読取装置の検査方法、画像読取装置の検査装置、及び画像読取装置の製造方法
【手続補正３】
【補正対象書類名】明細書
【補正対象項目名】０００１
【補正方法】変更
【補正の内容】
【０００１】
本発明は、イメージスキャナ、複写機、ファクシミリ等の画像読取装置を構成する各部材を組み立てる際に好適な画像読取装置の検査方法、画像読取装置の検査装置、及び画像読取装置の製造方法に関するものである。
【手続補正４】
【補正対象書類名】明細書
【補正対象項目名】００１４
【補正方法】変更
【補正の内容】
【００１４】
本発明は、１枚のチャートで幾何特性、解像力特性及び色ズレ性能等をスキャン動作に
よる検査時間の効率化を図りつつ、精度良く検査並びに調整することができる画像読取装
置の検査方法、画像読取装置の検査装置、及び画像読取装置の製造方法の提供を目的とする。
【手続補正５】
【補正対象書類名】明細書
【補正対象項目名】００１５
【補正方法】変更
【補正の内容】
【００１５】
本発明の画像読取装置の検査方法は、原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の検査方法であって、チャートを前記結像光学系によって前記複数の受光素子列上に結像して得られる出力信号の振幅からコントラストを算出する第１の算出工程と、前記出力信号の前記第１及び第２の方向における位相ズレ量を算出する第２の算出工程と、前記出力信号の周波数ズレ量を算出する第３の算出工程と、前記位相ズレ量及び前記周波数ズレ量に基づいて前記第１及び第２の方向における色ズレ量を算出する第４の算出工程と、を有し、前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする。
また、本発明の画像読取装置の検査装置は、原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の検査装置であって、チャートを前記結像光学系によって前記複数の受光素子列上に結像して得られる出力信号の振幅からコントラストを算出する第１の算出手段と、前記出力信号の前記第１及び第２の方向における位相ズレ量を算出する第２の算出手段と、前記出力信号の周波数ズレ量を算出する第３の算出手段と、前記位相ズレ量及び前記周波数ズレ量に基づいて前記第１及び第２の方向における色ズレ量を算出する第４の算出手段と、を有し、前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする。
また、本発明の画像読取装置の製造方法は、原稿面を結像する結像光学系と、第１の方向に配列された複数の受光素子をそれぞれが含み、前記第１の方向に垂直な第２の方向に配列された複数の受光素子列と、を備え、前記結像光学系により前記複数の受光素子列上に結像された前記原稿面の画像情報を読取る画像読取装置の製造方法であって、チャートを前記結像光学系によって前記複数の受光素子列上に結像して得られる出力信号の振幅からコントラストを算出する第１の算出工程と、前記出力信号の前記第１及び第２の方向における位相ズレ量を算出する第２の算出工程と、前記出力信号の周波数ズレ量を算出する第３の算出工程と、前記位相ズレ量及び前記周波数ズレ量に基づいて前記第１及び第２の方向における色ズレ量を算出する第４の算出工程と、前記コントラストと前記位相ズレ量と前記周波数ズレ量と前記色ズレ量とに基づいて、前記結像光学系及び前記複数の受光素子列の位置を調整する工程と、を有し、前記チャートは、前記複数の受光素子列に対し前記原稿面と光学的に等価な位置に配置され、前記第２の方向に対して傾き角θを持って配列された縞を含む第１のパターンと、前記第１の方向に対して前記傾き角θを持って配列された縞を含む第２のパターンと、を有することを特徴とする。
【手続補正６】
【補正対象書類名】明細書
【補正対象項目名】００３４
【補正方法】変更
【補正の内容】
【００３４】
次に図３の検査装置で調整された本発明に係る実施例の画像読取装置について説明する。図４は図３の検査装置によって検査され、調整製作（製造）された画像読取装置の要部概略図である。図３に関連した図４において、原稿台ガラス５２面上に載置された原稿５１を、キセノン管やハロゲンランプやＬＥＤ等からなる光源を有する照明装置５３からの光束で照射する。原稿５１の画像情報をスリット５４、複数の反射ミラー５５ａ〜５５ｄを介して結像光学系５によって３つのラインセンサを互いに副走査方向に平行に配列したモノリシックな３ラインセンサより成る読取手段（ＣＣＤ）６に結像する。